(57)【要約】【課題】  ＤＶＤ−ＲＡＭディスクの立ち上げ時、ＤＶＤ−ＲＡＭディスクのリードインエリアのＤＭＡの先頭アドレスをシークする際に、光ピックアップが誤ってリードインエリアのエンボスピット部に入らないようにすることができるようにする。【解決手段】  ＤＶＤ−ＲＡＭディスクの立ち上げ時、光ピックアップをＤＶＤ−ＲＡＭディスクの最内周のリードインエリアのエンボスピット部にスレッド移動させた後、光ピックアップをＤＶＤ−ＲＡＭディスクのリードインエリアのＤＭＡの外周側に隣接するデータ記録エリアのゾーン０の中間アドレスに通常シークで移動させて、光ピックアップをＤＶＤ−ＲＡＭディスクのリードインエリアのＤＭＡの先頭アドレスまでインターバルジャンプを繰り返して移動させるようにする。【選択図】        図２
2007200400.tif 000002
【特許請求の範囲】
【請求項１】
ＤＶＤ−ＲＡＭディスクに情報データを記録再生するディスク装置であって、
ＤＶＤ−ＲＡＭディスクの立ち上げ時、光ピックアップをＤＶＤ−ＲＡＭディスクの最内周のリードインエリアのエンボスピット部にスレッド移動させる第１の移動手段と、光ピックアップがＤＶＤ−ＲＡＭディスクの最内周のリードインエリアのエンボスピット部に移動したとき、光ピックアップをＤＶＤ−ＲＡＭディスクのリードインエリアのＤＭＡの外周側に隣接するデータ記録エリアのゾーン０の中間アドレスに通常シークで移動させる第２の移動手段と、光ピックアップがＤＶＤ−ＲＡＭディスクのデータ記録エリアのゾーン０の中間アドレスに移動したとき、光ピックアップをＤＶＤ−ＲＡＭディスクのリードインエリアのＤＭＡの先頭アドレスまでインターバルジャンプを繰り返して移動させる第３の移動手段とを備えたことを特徴とするディスク装置。
【請求項２】
ＤＶＤ−ＲＡＭディスクに情報データを記録再生するディスク装置であって、
ＤＶＤ−ＲＡＭディスクの立ち上げ時、光ピックアップをＤＶＤ−ＲＡＭディスクの最内周のリードインエリアのエンボスピット部にスレッド移動させる第１の移動手段と、光ピックアップがＤＶＤ−ＲＡＭディスクの最内周のリードインエリアのエンボスピット部に移動したとき、光ピックアップをＤＶＤ−ＲＡＭディスクのリードインエリアのＤＭＡの外周側に隣接するデータ記録エリアのゾーン０の中間アドレスに移動させる第２の移動手段と、光ピックアップがＤＶＤ−ＲＡＭディスクのデータ記録エリアのゾーン０の中間アドレスに移動したとき、光ピックアップをＤＶＤ−ＲＡＭディスクのリードインエリアのＤＭＡの先頭アドレスまでトラックジャンプを繰り返して移動させる第３の移動手段とを備えたことを特徴とするディスク装置。
【請求項３】
前記第２の移動手段は、光ピックアップをＤＶＤ−ＲＡＭディスクのリードインエリアのＤＭＡの外周側に隣接するデータ記録エリアのゾーン０の中間アドレスに通常シークで移動させる移動手段であることを特徴とする請求項２記載のディスク装置。
【請求項４】
前記第３の移動手段は、光ピックアップをＤＶＤ−ＲＡＭディスクのリードインエリアのＤＭＡの先頭アドレスまでインターバルジャンプを繰り返して移動させる移動手段であることを特徴とする請求項２記載のディスク装置。
【請求項５】
ＤＶＤ−ＲＡＭディスクに情報データを記録再生するディスク装置の制御方法であって、
ＤＶＤ−ＲＡＭの立ち上げ時、光ピックアップをＤＶＤ−ＲＡＭディスクの最内周のリードインエリアのエンボスピット部にスレッド移動させるステップと、光ピックアップがＤＶＤ−ＲＡＭディスクの最内周のリードインエリアのエンボスピット部に移動したとき、光ピックアップをＤＶＤ−ＲＡＭディスクのデータ記録エリアのゾーン０の中間アドレスに通常シークで移動させるステップと、光ピックアップがＤＶＤ−ＲＡＭディスクのデータ記録エリアのゾーン０の中間アドレスに移動したとき、光ピックアップをＤＶＤ−ＲＡＭディスクのリードインエリアのＤＭＡの先頭アドレスにインターバルジャンプを繰り返して移動させるステップとを備えたことを特徴とするディスク装置の制御方法。
【発明の詳細な説明】
【技術分野】
【０００１】
本発明は、ＤＶＤ−ＲＡＭ（Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ）ディスクに情報データを記録再生するディスク装置及びその制御方法に係り、特にＤＶＤ−ＲＡＭディスクの立ち上げ時のアドレスシークの精度を向上させることができるディスク装置及びその制御方法に関する。
【背景技術】
【０００２】
従来、ＤＶＤ−ＲＡＭディスクの立ち上げ時に、図５に示すように、光ピックアップをＤＶＤ−ＲＡＭディスクの最内周のリードインエリアのエンボスピット部にスレッド移動させた後、目標アドレスより僅か手前のアドレスを着地アドレスとして指定トラック数によりシークパターンを切り換えて、リードインエリアの書き換え可能なエリアのＤＭＡ（Ｄａｔａ  Ｍａｎａｇｅｍｅｎｔ  Ａｒｅａ）に移動させている。しかし、ＤＶＤ−ＲＡＭディスク２のリードインエリアのＤＭＡ２ｂが、図４に示すように、リードインエリアのエンボスピット部２ａの外側に隣接していてエンボスピット部２ａに非常に近いため、光ピックアップをリードインエリアのＤＭＡ２ｂに通常シークで移動させる場合に、光ピックアップがリードインエリアのＤＭＡ２ｂの内側に隣接するリードインエリアのエンボスピット部２ａに誤って入ってしまうと、リードインエリアのＤＭＡ２ｂとリードインエリアのエンボスピット部２ａとでトラッキング誤差信号の生成方法がＤＰＤ（Ｄｉｆｆｅｒｅｎｔｉａｌ  Ｐｈａｓｅ  Ｄｅｔｅｃｔｉｏｎ）方式とＤＰＰ（Ｄｉｆｆｅｒｅｎｔｉａｌ  Ｐｕｓｈ−Ｐｕｌｌ）方式と異なるため、光ピックアップのサーボ制御が不能になってディスク装置がフリーズしてしまうという問題点があった。
背景技術としては、シーク及びトラックジャンプ時に、トラッキング誤差信号からヘッダ部検出信号を生成して、ヘッダ部検出信号により検出されたヘッダ領域以外のデータ領域でトラッキングをＯＮにするようにしたものがあった（例えば、特許文献１参照）。
また、目標トラックに向けて光ピックアップの光ビームスポットが光ディスクのアドレス領域上を通過するのを順次検出し、光ビームスポットがアドレス領域上を通過しない開始タイミングで、光ビームスポットを目標トラック又はその近傍のトラック上に引き込むようにしたものがあった（例えば、特許文献２参照）。
また、目標アドレスと検出アドレスとが一致する位置に光ピックアップを移動させる際に、検出アドレスが目標アドレスに一致するまで、或いは、検出アドレスが予め設定された目標範囲内になるまで光ピックアップをトラックジャンプさせるようにしたものがあった（例えば、特許文献３参照）。
【特許文献１】特開平１１−３１６９５７号公報
【特許文献２】特開２００２−１７０２５３号公報
【特許文献３】特開２００４−２２０９１号公報
【発明の開示】
【発明が解決しようとする課題】
【０００３】
しかしながら、背景技術で述べたもののうち最初のものにおいては、シーク及びトラックジャンプ時に、トラッキング誤差信号からヘッダ部検出信号を生成して、ヘッダ部検出信号により検出されたヘッダ領域以外のデータ領域でトラッキングをＯＮにすることができたが、シークやトラックジャンプ時のトラッキングをＯＮにする場合に、目標アドレス付近の欠陥等により大きな振られが生じる場合であっても正常にトラッキングＯＮを行うようにしたものであって、上記問題点を解決するようにしたものではなかった。
また、次のものにおいては、目標トラックに向けて光ピックアップの光ビームスポットが光ディスクのアドレス領域上を通過するのを順次検出し、光ビームスポットがアドレス領域上を通過しない開始タイミングで、光ビームスポットを目標トラック又はその近傍のトラック上に引き込むことができたが、目標アドレス付近において発生するノイズの影響で減速を開始するタイミングを誤ったり、トラッキング引き込み時のノイズに応答したりして、光ビームスポットの引き込みに失敗しないようにしたものであって、上記問題点を解決するようにしたものではなかった。
また、更にその次のものにおいては、目標アドレスと検出アドレスとが一致する位置に光ピックアップを移動させる際に、検出アドレスが目標アドレスに一致するまで、或いは、検出アドレスが予め設定された目標範囲内になるまで光ピックアップをトラックジャンプさせることができたが、光ピックアップを目標アドレスに移動させる際に、現在アドレスを取得するための時間、光ピックアップの移動方向、移動トラック数、ブレーキ本数、目標アドレスを光ピックアップ制御装置に複写するための時間を省いて、光ピックアップ制御装置から終了通知を受信する間に、光ピックアップの次のトラックジャンプを開始させ、光ディスクアクセス全体の時間を短縮するようにしたものであって、上記問題点を解決するようにしたものではなかった。
本発明は、背景技術の有するこのような問題点に鑑みてなされたものであり、その目的とするところは、ＤＶＤ−ＲＡＭディスクの立ち上げ時、ＤＶＤ−ＲＡＭディスクのリードインエリアのＤＭＡの先頭アドレスをシークする際に、光ピックアップが誤ってリードインエリアのエンボスピット部に入らないようにすることができるディスク装置及びその制御方法を提供しようとするものである。
【課題を解決するための手段】
【０００４】
上記目的を達成するため本発明においては、ＤＶＤ−ＲＡＭディスクに情報データを記録再生するディスク装置であって、ＤＶＤ−ＲＡＭディスクの立ち上げ時、光ピックアップをＤＶＤ−ＲＡＭディスクの最内周のリードインエリアのエンボスピット部にスレッド移動させる第１の移動手段と、光ピックアップがＤＶＤ−ＲＡＭディスクの最内周のリードインエリアのエンボスピット部に移動したとき、光ピックアップをＤＶＤ−ＲＡＭディスクのリードインエリアのＤＭＡの外周側に隣接するデータ記録エリアのゾーン０の中間アドレスに通常シークで移動させる第２の移動手段と、光ピックアップがＤＶＤ−ＲＡＭディスクのデータ記録エリアのゾーン０の中間アドレスに移動したとき、光ピックアップをＤＶＤ−ＲＡＭディスクのリードインエリアのＤＭＡの先頭アドレスまでトラックジャンプを繰り返して移動させる第３の移動手段とを備える。
前記第２の移動手段は、光ピックアップをＤＶＤ−ＲＡＭディスクのリードインエリアのＤＭＡの外周側に隣接するデータ記録エリアのゾーン０の中間アドレスに通常シークで移動させるようにするとよい。
前記第３の移動手段は、光ピックアップをＤＶＤ−ＲＡＭディスクのリードインエリアのＤＭＡの先頭アドレスまでインターバルジャンプを繰り返して移動させるようにするとよい。
これらの手段により、ＤＶＤ−ＲＡＭディスクの立ち上げ時、ＤＶＤ−ＲＡＭディスクのリードインエリアのＤＭＡの先頭アドレスをシークする際に、光ピックアップが誤ってリードインエリアのエンボスピット部に入らないようにすることができる。
【発明の効果】
【０００５】
請求項１記載の発明に係るディスク装置によれば、ＤＶＤ−ＲＡＭディスクの立ち上げ時、光ピックアップをＤＶＤ−ＲＡＭディスクの最内周のリードインエリアのエンボスピット部にスレッド移動させ、光ピックアップがＤＶＤ−ＲＡＭディスクの最内周のリードインエリアのエンボスピット部に移動したとき、光ピックアップをＤＶＤ−ＲＡＭディスクのリードインエリアのＤＭＡの外周側に隣接するデータ記録エリアのゾーン０の中間アドレスに通常シークで移動させ、光ピックアップがＤＶＤ−ＲＡＭディスクのデータ記録エリアのゾーン０の中間アドレスに移動したとき、光ピックアップをＤＶＤ−ＲＡＭディスクのリードインエリアのＤＭＡの先頭アドレスまでインターバルジャンプを繰り返して移動させるようにしているので、ＤＶＤ−ＲＡＭディスクの立ち上げ時、ＤＶＤ−ＲＡＭディスクのリードインエリアのＤＭＡの先頭アドレスをシークする際に、光ピックアップをデータ記録エリアのゾーン０に移動させた後、シーク精度の高いインターバルジャンプを繰り返して光ピックアップをリードインエリアのＤＭＡに移動させるようにしているため、光ピックアップが誤ってリードインエリアのエンボスピット部に入らないようにすることができる。
請求項２記載の発明に係るディスク装置によれば、ＤＶＤ−ＲＡＭディスクの立ち上げ時、光ピックアップをＤＶＤ−ＲＡＭディスクの最内周のリードインエリアのエンボスピット部にスレッド移動させ、光ピックアップがＤＶＤ−ＲＡＭディスクの最内周のリードインエリアのエンボスピット部に移動したとき、光ピックアップをＤＶＤ−ＲＡＭディスクのリードインエリアのＤＭＡの外周側に隣接するデータ記録エリアのゾーン０の中間アドレスに通常シークで移動させ、光ピックアップがＤＶＤ−ＲＡＭディスクのデータ記録エリアのゾーン０の中間アドレスに移動したとき、光ピックアップをＤＶＤ−ＲＡＭディスクのリードインエリアのＤＭＡの先頭アドレスまでトラックジャンプを繰り返して移動させるようにしているので、ＤＶＤ−ＲＡＭディスクの立ち上げ時、ＤＶＤ−ＲＡＭディスクのリードインエリアのＤＭＡの先頭アドレスをシークする際に、光ピックアップをデータ記録エリアのゾーン０に移動させた後、トラックジャンプを繰り返して光ピックアップをリードインエリアのＤＭＡに移動させるようにしているため、光ピックアップが誤ってリードインエリアのエンボスピット部に入らないようにすることができる。
請求項３記載の発明に係るディスク装置によれば、光ピックアップをＤＶＤ−ＲＡＭディスクのリードインエリアのＤＭＡの外周側に隣接するデータ記録エリアのゾーン０の中間アドレスに通常シークで移動させるようにしているので、光ピックアップをＤＶＤ−ＲＡＭディスクのデータ記録エリアのゾーン０の中間アドレスに確実に移動させることができる。
請求項４記載の発明に係るディスク装置によれば、光ピックアップをＤＶＤ−ＲＡＭディスクのリードインエリアのＤＭＡの先頭アドレスまでインターバルジャンプを繰り返して移動させるようにしているので、ＤＶＤ−ＲＡＭディスクの立ち上げ時、ＤＶＤ−ＲＡＭディスクのリードインエリアのＤＭＡの先頭アドレスをシークする際に、シーク精度の高いインターバルジャンプを繰り返して光ピックアップをリードインエリアのＤＭＡに移動させるようにしているため、光ピックアップが誤ってリードインエリアのエンボスピット部に入らないようにすることができる。
請求項５記載の発明に係るディスク装置の制御方法によれば、ＤＶＤ−ＲＡＭの立ち上げ時、光ピックアップをＤＶＤ−ＲＡＭディスクの最内周のリードインエリアのエンボスピット部にスレッド移動させ、光ピックアップがＤＶＤ−ＲＡＭディスクの最内周のリードインエリアのエンボスピット部に移動したとき、光ピックアップをＤＶＤ−ＲＡＭディスクのデータ記録エリアのゾーン０の中間アドレスに通常シークで移動させ、光ピックアップがＤＶＤ−ＲＡＭディスクのデータ記録エリアのゾーン０の中間アドレスに移動したとき、光ピックアップをＤＶＤ−ＲＡＭディスクのリードインエリアのＤＭＡの先頭アドレスにインターバルジャンプを繰り返して移動させるようにしているので、ＤＶＤ−ＲＡＭディスクの立ち上げ時、ＤＶＤ−ＲＡＭディスクのリードインエリアのＤＭＡの先頭アドレスをシークする際に、光ピックアップをデータ記録エリアのゾーン０に移動させた後、シーク精度の高いインターバルジャンプを繰り返して光ピックアップをリードインエリアのＤＭＡに移動させるようにしているため、光ピックアップが誤ってリードインエリアのエンボスピット部に入らないようにすることができる。
【発明を実施するための最良の形態】
【０００６】
以下、適宜図面を参照しながら本発明を実施するための最良の形態を詳述する。図１は本発明の一実施例のディスク装置の構成を示すブロック図であり図２は本発明の一実施例のディスク装置の動作を示す説明図であり、図３は本発明の一実施例のディスク装置の動作を示すフローチャートであり、図４はＤＶＤ−ＲＡＭディスクのエンボスピット部、ＤＭＡ、ゾーン０を示す模式図であり、図５は従来のディスク装置の動作を示す説明図である。
まず、図１の本発明の一実施例のディスク装置の構成を示すブロック図を基に説明する。
ディスク装置１は、ＤＶＤ−ＲＡＭディスク２にレーザ光を照射してその反射光を検出し、ＤＶＤ−ＲＡＭディスク２に記録されている情報データを読み出すとともに、ＤＶＤ−ＲＡＭディスク２にレーザ光を照射して情報データをＤＶＤ−ＲＡＭディスク２に記録する光ピックアップ３と、ＤＶＤ−ＲＡＭディスク２を回転させるスピンドルモータ４と、スピンドルモータ４の回転速度をサーボ制御するスピンドルサーボ回路５と、光ピックアップ３をＤＶＤ−ＲＡＭディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３によりＤＶＤ−ＲＡＭディスク２から読み出された情報データのＲＦ（Ｒａｄｉｏ  Ｆｒｅｑｕｅｎｃｙ）信号を増幅するとともに、ＤＶＤ−ＲＡＭディスク２に記録する情報データのＲＦ信号を増幅するＲＦ増幅回路１０と、ＲＦ増幅回路１０により増幅された情報データのＲＦ信号を基準クロックに基づいて同期検出して復調し、復調された情報データの誤りを訂正して、所定の圧縮方式に基づいて圧縮された情報データを伸張し、伸張された情報データを復号して情報データを再生するとともに、情報データを符号化して所定の圧縮方式に基づいて圧縮する信号処理回路１１と、ディスク装置１のシステム全体を制御するマイコン１２とで構成されている。
以上のように構成されたディスク装置について、以下その動作について説明する。
ＤＶＤ−ＲＡＭディスク２の立ち上げ時、マイコン１２は、スピンドルサーボ回路５に制御信号を送出して、スピンドルモータ４を駆動してＤＶＤ−ＲＡＭディスク２を回転させ、スレッドサーボ回路７に制御信号を送出して、スレッドモータ６を駆動して光ピックアップ３をＤＶＤ−ＲＡＭディスク２の最内周のリードインエリアのエンボスピット部２ａにスレッド移動させ（図４参照）、トラッキングサーボ回路８とフォーカスサーボ回路９とに制御信号を送出して、光ピックアップ３のトラッキングとフォーカスとをサーボ制御する。
光ピックアップ３がＤＶＤ−ＲＡＭディスク２の最内周のリードインエリアのエンボスピット部２ａに移動すると（図４参照）、マイコン１２は、スレッドサーボ回路７に制御信号を送出して、光ピックアップ３をＤＶＤ−ＲＡＭディスク２のリードインエリアのＤＭＡ２ｂの外周側に隣接するデータ記録エリアのゾーン０、２ｃの１６進数の中間アドレス３５４８ＦＨに、ゾーン０の中間アドレスから所定量、例えば、４％減算したアドレスを着地アドレスとして指定トラック数により通常シークで移動させる（図２、図４参照）。
光ピックアップ３がＤＶＤ−ＲＡＭディスク２のデータ記録エリアのゾーン０、２ｃの中間アドレスに移動すると（図２、図４参照）、マイコン１２は、スレッドサーボ回路７に制御信号を送出して、光ピックアップ３をＤＶＤ−ＲＡＭディスク２のリードインエリアのＤＭＡの先頭アドレスまでジャンプトラック数が少ないシーク精度の高いインターバルジャンプを繰り返して移動させる（図２参照）。これにより、ＤＶＤ−ＲＡＭディスクの立ち上げ時、ＤＶＤ−ＲＡＭディスクのリードインエリアのＤＭＡの先頭アドレスをシークする際に、光ピックアップが誤ってリードインエリアのエンボスピット部に入らないようにすることができる。
また、図３の本発明の一実施例のディスク装置の動作を示すフローチャートを基に説明する。
ＤＶＤ−ＲＡＭディスクの立ち上げ時、ステップＳ１からステップＳ２に進み、ステップＳ２で、光ピックアップがＤＶＤ−ＲＡＭディスクの最内周のリードインエリアのエンボスピット部にスレッド移動されて、ステップＳ３に進む。
ステップＳ３で、光ピックアップがＤＶＤ−ＲＡＭディスクのデータ記録エリアのゾーン０の中間アドレスに通常シークで移動され、ステップＳ４に進む。
ステップＳ４で、光ピックアップがＤＶＤ−ＲＡＭディスクのデータ記録エリアのゾーン０の中間アドレスに移動したか否かが判断され、光ピックアップがデータ記録エリアのゾーン０の中間アドレスに移動した場合、ステップＳ５に進み、光ピックアップがデータ記録エリアのゾーン０の中間アドレスに移動していない場合、ステップＳ３に戻って、ステップＳ３からのステップを繰り返す。
ステップＳ５で、光ピックアップがＤＶＤ−ＲＡＭディスクのリードインエリアのＤＭＡの先頭アドレスにインターバルジャンプで移動され、ステップＳ６に進む。
ステップＳ６で、光ピックアップがＤＶＤ−ＲＡＭディスクのリードインエリアのＤＭＡの先頭アドレスに移動したか否かが判断され、光ピックアップがＤＭＡの先頭アドレスに移動した場合、ステップＳ７に進んで処理を終了し、光ピックアップがＤＭＡの先頭アドレスに移動していない場合、ステップＳ５に戻って、ステップＳ５からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【図４】ＤＶＤ−ＲＡＭディスクのエンボスピット部、ＤＭＡ、ゾーン０を示す模式図である。
【図５】従来のディスク装置の動作を示す説明図である。
【符号の説明】
【０００８】
１  ディスク装置
２  ＤＶＤ−ＲＡＭディスク
２ａ  エンボスピット部
２ｂ  ＤＭＡ
２ｃ  ゾーン０
３  光ピックアップ
４  スピンドルモータ
５  スピンドルサーボ回路
６  トラッキングサーボ回路
７  スレッドサーボ回路
８  トラッキングサーボ回路
９  フォーカスサーボ回路
１０  ＲＦ増幅回路
１１  信号処理回路
１２  マイコン
【図１】
2007200400.tif 000003
【図２】
2007200400.tif 000004
【図３】
2007200400.tif 000005
【図４】
2007200400.tif 000006
【図５】
2007200400.tif 000007